(57)【要約】  本発明は、電気パルス工具（１０）および電気パルス工具（１０）において、反力の特性を向上させて電気パルス工具が使用上、人間工学的になるようにする方法に関する。この目的は、トルクをパルスの状態で出力シャフト（１２）に送り出す、電気パルス工具（１０）によって達成される。各期間の間、電流パルスを電流オン時間間隔の間、電気モータ（１１）に提供する。次に、電気モータ（１１）への電流供給を休止させる。しかる後、トルクパルスの幅を求める。そして、次にトルクパルスの終了から休止間隔の間、電気モータ（１１）への電流供給の休止を続行し、休止間隔は、トルクパルスの幅に基づいて求められる。
2020517470.tif 000002
【特許請求の範囲】
【請求項１】
電気パルス工具（１０）であって、トルクがパルスの状態で前記電気パルス工具（１０）の出力シャフト（１２）に送り出され、前記電気パルス工具（１０）は、前記出力シャフト（１２）を駆動するようになった電気モータ（１１）を有し、前記電気パルス工具（１０）は、各期間について、
‐電流オン時間間隔（ＴCURRENT）中、電流パルスを前記電気モータ（１１）に提供し、
‐前記電流オン時間間隔（ＴCURRENT）後、前記トルクパルスの終了まで、前記電気モータ（１１）への電流供給を休止させ、
‐前記トルクパルスの幅（ＴWIDTH）を求め、
‐前記トルクパルスの終了から休止間隔（ＴPAUSE）中、電気モータへの電流供給の休止を続行するよう作動し、前記休止間隔（ＴPAUSE）は、前記トルクパルスの前記幅（ＴWIDTH）に基づいて求められ、したがってトルクパルスの幅が広いと、その結果として、休止間隔（ＴPAUSE）が広く、トルクパルスの幅が狭いと、その結果として、休止間隔（ＴPAUSE）が短い、電気パルス工具（１０）。
【請求項２】
前記トルクパルスの前記幅（ＴWIDTH）は、前記電気パルス工具がエネルギーを前記出力シャフトに伝達し始める第１の時点から前記電気パルス工具がエネルギーを前記出力シャフト（１２）に伝達するのを停止する第２の時点までの時間間隔に基づいて求められる、請求項１記載の電気パルス工具（１０）。
【請求項３】
前記休止間隔（ＴPAUSE）は、前記トルクパルスの前記幅（ＴWIDTH）に所定の係数を乗算して得られた値から前記電流オン時間間隔（ＴCURRENT）を差し引いた値である、請求項１記載の電気パルス工具（１０）。
【請求項４】
トルクセンサ（２５）をさらに有し、エネルギーが前記出力シャフト（１２）に伝達されたどうかは、前記出力シャフト（１２）に加わる、決められているトルクに基づいて判定される、請求項２または３記載の電気パルス工具（１０）。
【請求項５】
前記出力シャフト（１２）は、前記決められているトルクが本質的にゼロに達したときにエネルギーの伝達を停止させるよう構成されている、請求項４記載の電気パルス工具（１０）。
【請求項６】
前記センサ（２５）は、位置センサであり、エネルギーが前記出力シャフト（１２）に伝達されたかどうかは、前記出力シャフト（１２）の決められている位置の変化に基づいて判定される、請求項２または３記載の電気パルス工具（１０）。
【請求項７】
前記電気パルス工具（１０）は、ねじ継手の締め付けと関連したパラメータ値に達するまで前記期間を繰り返すようさらに作動する、請求項１〜６のうちいずれか一に記載の電気パルス工具（１０）。
【請求項８】
ねじ継手の前記締め付けと関連した前記パラメータ値は、トルクである、請求項７記載の電気パルス工具（１０）。
【請求項９】
ねじ継手の前記締め付けと関連した前記パラメータ値は、角度である、請求項８記載の電気パルス工具（１０）。
【請求項１０】
電気パルス工具（１０）における方法であって、トルクがパルスの状態で前記電気パルス工具（１０）の出力シャフト（１２）に送り出され、前記電気パルス工具（１０）は、前記出力シャフト（１２）を駆動するようになった電気モータ（１１）を有し、前記方法は、各期間について、
‐電流オン時間間隔（ＴCURRENT）中、電流パルスを前記電気モータ（１１）に提供するステップ（６００）と、
‐前記電流オン時間間隔（ＴCURRENT）後、前記トルクパルスの終了まで、前記電気モータ（１１）への電流供給を休止させるステップ（７００）と、
‐前記トルクパルスの幅（ＴWIDTH）を求めるステップ（８００）と、
‐前記トルクパルスの終了から休止間隔（ＴPAUSE）中、電気モータ（１１）への電流供給の休止を続行するステップ（９００）と、を含み、前記休止間隔（ＴPAUSE）は、前記トルクパルスの前記幅（ＴWIDTH）に基づいて求められ、したがってトルクパルスの幅が広いと、その結果として、休止間隔が広く、トルクパルスの幅が狭いと、その結果として、休止間隔が短い、方法。
【請求項１１】
前記トルクパルスの前記幅（ＴWIDTH）は、前記電気パルス工具（１０）がエネルギーを前記出力シャフト（１２）に伝達し始める第１の時点から前記電気パルス工具がエネルギーを前記出力シャフト（１２）に伝達するのを停止する第２の時点までの時間間隔に基づいて求められる、請求項１０記載の方法。
【請求項１２】
前記休止間隔（ＴPAUSE）は、前記トルクパルスの前記幅（ＴWIDTH）に所定の係数を乗算して得られた値から前記電流オン時間間隔（ＴCURRENT）を差し引いた値である、請求項１０または１１記載の方法。
【請求項１３】
エネルギーが前記出力シャフト（１２）に伝達されたどうかを前記出力シャフト（１２）に加わる、決められているトルクに基づいて判定するステップをさらに含む、請求項１１記載の方法。
【請求項１４】
前記出力シャフト（１２）は、前記決められているトルクが本質的にゼロに達したときにエネルギーの伝達を停止させるよう構成されている、請求項１３記載の方法。
【請求項１５】
エネルギーが前記出力シャフト（１２）に伝達されたかどうかを前記出力シャフト（１２）の決められている位置の変化に基づいて判定するステップをさらに含む、請求項１０または１１記載の方法。
【請求項１６】
前記電気パルス工具（１０）は、ねじ継手の締め付けと関連したパラメータ値に達するまで前記期間を繰り返すようさらに作動する、請求項１０〜１５のうちいずれか一に記載の方法。
【請求項１７】
ねじ継手の前記締め付けと関連した前記パラメータ値は、トルクである、請求項１６記載の方法。
【請求項１８】
ねじ継手の前記締め付けと関連した前記パラメータ値は、角度である、請求項１６記載の方法。
【請求項１９】
コンピュータプログラムが記憶されたコンピュータ可読記憶媒体であって、前記コンピュータプログラムは、電気パルス工具（１０）で実行されると、前記電気パルス工具（１０）が請求項１０〜１８のうちいずれか一に記載の方法を実施するようにさせる、コンピュータ可読記憶媒体。
【発明の詳細な説明】
【技術分野】
【０００１】
本発明は、電気パルス工具および電気パルス工具における方法に関する。特に、本発明は、トルクがパルスの状態で送り出されて例えば二次継手を締め付けたりするとともに／あるいは弛めたりするような締め付け作業を実行するための電気パルス工具に関する。
【背景技術】
【０００２】
ボルト、ねじおよびナットを締結するための電力工具が多くの互いに異なる用途で用いられている。これらの用途のうちの幾つかにおいて、クランプ力または少なくとも関連トルクを制御することができるようにすることが望ましくまたはそれどころか必要である。かかる電力工具は、典型的には、トルクが測定されるよう電力工具の出力シャフトを回転させるよう制御される。トルクが所定の値に達すると、電力工具は、出力シャフトの回転を停止させるよう制御される。これは、例えば、工具への電力を切断することによって達成されるのが良くあるいはクラッチを摺動させるのが良い。
【０００３】
電力工具、特に手持ち型電力工具を操作する際に遭遇する問題は、オペレータが反力を受けることである。オペレータに伝わる反力を軽減する一手法は、電気モータをパルス化された仕方で駆動する一連のエネルギーパルスを供給するパルス型電気モータを使用することである。エネルギーは、典型的には、電流パルスとして供給されるのが良い。それにより、オペレータが対処する必要のある反力を軽減させることができる。
【０００４】
米国特許第６，６８０，５９５号明細書は、ねじを締結するための制御方法および締結装置を記載している。締結装置は、パルス化漸増トルクを出力するよう制御される。実際のトルクを求め、そして実際のトルクが標的値に達したときにモータを停止させる。パルス化漸増トルクを発生させるには、パルス化電流を締結装置の電気モータに供給する。
【０００５】
また、米国特許第７，７７０，６５８号明細書は、ねじを締結するための制御方法および締結装置を記載している。実際のトルクを求め、実際のトルクが標的値に達したときにモータを停止させる。さらに、実際のトルクが設定された値に達すると、締結装置により送り出されるトルクを減少させる。パルス化トルクを発生させるには、パルス化電流を締結装置の電気モータに供給する。
【先行技術文献】
【特許文献】
【０００６】
【特許文献１】米国特許第６，６８０，５９５号明細書
【特許文献２】米国特許第７，７７０，６５８号明細書
【発明の概要】
【発明が解決しようとする課題】
【０００７】
電力アシスト型締結工具の作動を改良することが望まれ続けている。例えば、オペレータに伝えられる反力は、オペレータの作業条件を向上させるためにできるだけ小さいことが必要である。
【０００８】
それゆえ、電気パルス工具で用いられる改良型のパルス型締結方法および装置が要望されている。
【０００９】
本発明の目的は、反力の特性を向上させて電気パルス工具が使用上、人間工学的になるようにする改良型電気パルス工具を提供することにある。
【課題を解決するための手段】
【００１０】
この目的は、電気パルス工具によって本発明の第１の観点に従って達成され、トルクは、パルスの状態で電気パルス工具の出力シャフトに送り出される。電気パルス工具は、出力シャフトを駆動するようになった電気モータを有する。電気パルス工具は、各期間について、電流オン時間間隔中、電流パルスを電気モータに提供するよう作動する。次に、電流オン時間間隔後、トルクパルスの終了まで、電気モータへの電流供給を休止させる。しかる後、トルクパルスの幅を求める。そして次に、トルクパルスの終了から休止間隔中、電気モータへの電流供給の休止を続行し、休止間隔は、トルクパルスの幅に基づいて求められ、したがってトルクパルスの幅が広いと、その結果として、休止間隔が広く、トルクパルスの幅が狭いと、その結果として、休止間隔が短い。
【００１１】
第２の観点によれば、本発明は、電気パルス工具における方法であって、トルクがパルスの状態で電気パルス工具の出力シャフトに送り出されることを特徴とする方法に関する。電気パルス工具は、出力シャフトを駆動するようになった電気モータを有する。本方法は、各期間について、電流オン時間間隔中、電流パルスを電気モータに提供するステップを含む。電流オン時間間隔後、トルクパルスの終了まで、電気モータへの電流供給を休止させる。トルクパルスの幅を求める。そして、トルクパルスの終了から休止間隔中、電気モータへの電流供給の休止を続行し、休止間隔は、トルクパルスの幅に基づいて求められ、したがってトルクパルスの幅が広いと、その結果として、休止間隔が広く、トルクパルスの幅が狭いと、その結果として、休止間隔が短い。
【００１２】
本発明の例示の実施形態による利点は、電気パルス工具が使用上、人間工学的になるようにするよう反力の特性を向上させることにある。
【００１３】
次に、添付の図面を参照して本発明を詳細に説明する。
【図面の簡単な説明】
【００１４】
【図１】動力工具の縦断面図である。
【図２】先行技術に係る電流パルスシーケンスの図である。
【図３】先行技術に係る電気パルス工具からの反力の図である。
【図４】本発明の例示の実施形態に係る電流パルスシーケンスの図である。
【図５】本発明の例示の実施形態に係る電気パルス工具からの反力の図である。
【図６】本発明の例示の実施形態に係る方法を示す流れ図である。
【発明を実施するための形態】
【００１５】
従来型電力工具、例えばナットランナまたはねじ回しは、典型的には、実施される作業、例えば継手の締め付けの質を制御することができるセンサ、例えば角度エンコーダおよびトルク計器を備えている。
【００１６】
さらに、特に手持ち型動力工具に関し、オペレータの受ける反力は、できるだけ低いことと特定の締め付け作業を終了させる時間ができるだけ短いことの両方が重要である。オペレータは、作業サイクル中、何百回にもわたって締め付け作業を行う場合があり、したがって、締め付け作業は、オペレータの快適さにとって人間工学的であるとともに作業ステーションでの生産性のために迅速であることが重要である。人間工学的締め付け作業は、典型的には反力ができるだけ小さいことを示唆している。
【００１７】
図１は、本発明の実施形態に係る電気パルス工具１０の例示の実施形態を示している。工具１０は、トルクが一連のパルスの状態で送り出されてねじ継手を締め付ける締め付け作業または工具１０によって実行される回転作用を含む同様な作用を実施するよう構成されている。この目的のため、パルス工具は、回転子２０および固定子２１を備えた電気モータ１１を有する。電気モータ１１は、２つの互いに逆の回転方向、すなわち時計回りの方向と反時計回りの方向に回転するよう構成されている。
【００１８】
工具１０は、ハンドル２２をさらに有し、このハンドルは、図示の実施形態では拳銃型のものである。しかしながら、本発明は、かかる形態には限定されず、任意形式の電気パルス工具に利用でき、図１の設計に限定されることはない。電源２４がモータ１１に接続されている。図示の実施形態では、電源は、ハンドルの下方部分内に配置されるのが良いバッテリである。他形式の電源、例えば電力を電気ケーブル経由で電気工具１０に供給する外部電源もまた想定される。工具１０は、電気モータ１１の電力供給を制御するようオペレータによって操作可能に配置されたトリガ２３をさらに有するのが良い。幾つかの実施形態では、工具１０は、外部制御ユニット（図示せず）に連結されている。外部制御ユニットは、工具１０に電力を供給することができる。制御ユニットはまた、工具を制御するために信号を工具１０に送信したり信号を工具１０から受信したりするよう構成されているのが良い。さらに、工具は、出力シャフト１２を有する。
【００１９】
本発明は、有利には、出力シャフト１２が歯車装置（図示せず）によりモータ１１に連結されている電気パルス工具に利用できる。しかしながら、本発明は、かかる形式の動力工具には限定されない。
【００２０】
電気パルス工具１０は、電気モータ１１を制御するよう構成されたプロセッサ１６をさらに有する。電気パルス工具１０は、プロセッサ１６によって実行可能な命令を格納しているメモリ２６をさらに有する。プロセッサ１６は、中央処理装置（ＣＰＵ）、マイクロコントローラ、ディジタル信号プロセッサ（ＤＳＰ）、またはコンピュータプログラムコードを実行することができる任意他の適当な形式のプロセッサである。メモリ２６は、読み取り書き込み記憶装置（ＲＡＭ）、読み取り専用記憶装置（ＲＯＭ）、または永続的記憶装置、例えば磁気メモリ、光メモリ、もしくはソリッドステートメモリまたはそれどころか遠隔取り付け型メモリのうちの１つまたはこれらの組み合わせである。
【００２１】
本発明の例示の一実施形態によれば、エネルギーが出力シャフトに提供されたかどうかを判定するためにセンサ２５が配置されている。センサ２５は、一実施形態によれば、出力シャフト１２上に配置されている。変形例として、センサ２５は、歯車装置上に配置されても良い。しかしながら、センサ２５は、電気パルス工具内の他の場所に配置されても良い。本発明の例示の一実施形態によれば、センサ２５は、トルクセンサ２５である。本発明の別の例示の実施形態によれば、センサ２５は、位置センサ２５である。
【００２２】
先行技術に係る電気パルス工具では、電流は、モータに間欠的に供給され、その結果、モータは、トルクパルスを発生させる。それにより、作業者に及ぼされる反力が小さくなり、作業者は、片手でねじ締結作業を行うことができる。
【００２３】
図２は、先行技術に係る動力工具内の電気モータのパルス幅変調方式を示している。図２は、先行技術に係る電流パルスの幾つかの期間（破線）の図である。図２で理解できるように、オン／オフ比は固定されており、このことは、オン時間ＴONおよびオフ時間ＴOFFが各期間について同一であることを意味している。図２はまた、パルスの状態で電気パルス工具の出力シャフトに送り出されるトルクパルスを示している。
【００２４】
図３は、先行技術に係る電気パルス工具を用いた場合にオペレータの受ける反力を示している。図３で理解できるように、反力は、締め付けの始まりの際においてすでに大きい。これは、反力が電流パルスではなくトルクパルスによって生じるからである。電流パルスの幅が一定であるが、トルクパルスが始まりの際に幅が広いので、反力は、直線状に大きくなっているということはない。かくして、始まりの際には大きな反力が存在し、オペレータは、この大きな反力に驚くために、オペレータによって不快であると認識される。
【００２５】
しかしながら、本発明は、電気モータに供給される電流パルスの特性を変化させることによって反力の特性を向上させることができるということを実現した。これは、電流パルスを電気モータに提供する際にトルクパルスの特性を考慮に入れることによっても達成できる。
【００２６】
図４は、本発明の例示の実施形態に係る電気モータに供給される電流パルスを示している。図４はまた、本発明の例示の実施形態に係る電気パルス工具１０により提供されるトルクパルスを示している。
【００２７】
図４で理解できるように、電気パルス工具１０は、各期間に関し、電流オン時間間隔ＴCURRENTの間、電流パルスを電気モータに提供するよう動作する。次に、電流オン時間間隔ＴCURRENT後において、トルクパルスの終了まで、電気モータへの電流供給を休止する。しかる後、電気パルス工具は、トルクパルスの幅ＴWIDTHを求めるよう動作する。さらに、電気パルス工具は、トルクパルスの終了からの休止間隔ＴPAUSE中、電気モータへの電流供給の休止を続行させるよう動作し、休止間隔ＴPAUSEは、トルクパルスの幅ＴWIDTHに基づいて求められ、したがって、トルクパルスの幅ＴWIDTHが広いと、休止間隔ＴPAUSEの幅が広く、トルクパルスの幅ＴWIDTHが狭いと、休止間隔ＴPAUSEが短い。
【００２８】
例示の実施形態によれば、電気パルス工具１０からの反力は、トルク振幅およびトルクパルスの幅ＴWIDTHとトルクパルスのオフ時間との関係で決まる。図４に示されている例示の実施形態では、トルクパルスのオフ時間は、ＴCURRENTにＴPAUSEを加えた時間である。締め付けの開始時、電気パルス工具は、終了時よりもパルス１個当たり長い時間にわたってねじを締め付け、このことは、トルクパルス幅ＴWIDTHが広いことを意味している。したがって、本発明の休止間隔ＴPAUSEは、反力の滑らかな増大を与えるために締め付けの開始の際に広いよう定められる。
【００２９】
図５は、本発明の例示の実施形態に係る工具を用いた場合にオペレータの受ける反力を示している。図５で理解できるように、反力は、締め付けの開始の際には小さい。反力はまた、先行技術の電気パルス工具と比較して直線状に増大している。これは、反力が各期間についてトルクパルスのオン時間とトルクパルスのオフ時間の関係によって生じるからである。トルクパルスの幅ＴWIDTHが広いと、その結果として、休止間隔が広く、トルクパルスの幅ＴWIDTHが狭いと、その結果として、休止間隔（ＴPAUSE）が短いように休止時間ＴPAUSEがトルクパルスの幅ＴWIDTHに基づいて定められるので、反力は、開始の際には小さく、そして直線状に増大する。かくして、この結果、開始の際には反力が小さく、オペレータが大きな反力によって驚かされることはないので、この小さい反力がオペレータによって快適に受け止められる。
【００３０】
本発明に係る電気パルス工具の別の例示の実施形態では、トルクパルスの幅ＴWIDTHは、電気パルス工具がエネルギーを出力シャフトに伝達し始める第１の時点から電気パルス工具がエネルギーを出力シャフトに伝達するのを停止する第２の時点までの期間に基づいて求められる。
【００３１】
例示の実施形態では、電気パルス工具は、トルクセンサを有し、エネルギーが出力シャフトに伝達されたかどうかは、出力シャフトに加わる決められているトルクに基づいて判定される。
【００３２】
電気パルス工具１０の例示の一実施形態によれば、出力シャフトは、決められているトルクが本質的にゼロに達したときにエネルギーの伝達を停止させるよう構成されている。電気パルス工具１０の例示の一実施形態によれば、出力シャフトは、決められているトルクが本質的にゼロよりも大きい値に達したときにエネルギーの伝達を開始させるよう構成されている。電気パルス工具の別の例示の実施形態では、センサ１０は、位置センサであり、エネルギーが出力シャフトに伝達されたかどうかは、出力シャフトの決められている位置の変化に基づいて判定される。電気パルス工具１０の例示の一実施形態によれば、出力シャフトは、位置センサによって求められた速度が本質的にゼロに達したときにエネルギーの伝達を停止させるよう構成されている。
【００３３】
電気パルス工具１０の例示の一実施形態によれば、出力シャフトは、位置センサによって求められた決められている速度が本質的にゼロよりも大きい値に達したときにエネルギーの伝達を開始させるよう構成されている。
【００３４】
電気パルス工具の例示の実施形態では、休止間隔ＴPAUSEは、トルクパルスの幅ＴWIDTHに所定の係数を乗算して得られた値から電流オン時間間隔ＴCURRENTを差し引いた値である。
ＴPAUSE＝（係数×ＴWIDTH）−ＴCURRENT
【００３５】
この例示の実施形態の利点は、オペレータが、所定の係数を選択することによって電気パルス工具が片手に送り出す反力をどれほど大きいかを選択することができるということにある。受ける反力は、係数が大きいと、小さいであろう。
【００３６】
本発明に係る電気パルス工具１０の例示の実施形態では、係数は、例えば工具制御装置から受け取られる。係数は、コントローラのユーザインターフェースを介してコントローラにエンタされているのが良い。
【００３７】
本発明に係る電気パルス工具１０の例示の実施形態では、パラメータ値は、コントローラのユーザインターフェースを介して電気パルス工具にエンタされる。
【００３８】
本発明に係る電気パルス工具のさらに別の例示の実施形態では、電気パルス工具は、さらに、ねじ継手の締め付けと関連したパラメータ値に達するまで上述の期間を繰り返すよう動作する。本発明に係る電気パルス工具の例示の実施形態では、ねじ継手の締め付けと関連したパラメータ値は、トルクである。本発明に係る電気パルス工具のさらに別の例示の実施形態では、ねじ継手との締め付けと関連したパラメータ値は、角度である。
【００３９】
本発明はまた、コンピュータプログラムが記憶されたコンピュータ可読記憶媒体であって、コンピュータプログラムは、電気パルス工具で実行されると、電気パルス工具が上述の方法を実施するようにさせることを特徴とするコンピュータ可読記憶媒体に関する。
【００４０】
例示の一実施形態によれば、上述のコンピュータプログラムコードが電気パルス工具１０のプロセッサ１６内で実行されると、それにより、電気パルス工具１０は、電流パルスを上述のパルス幅変調型電気モータに提供する。
【００４１】
かくして、例示の一実施形態によれば、電気パルス工具１０は、プロセッサ１６およびプロセッサ１６により実行可能な命令を格納したメモリ２６を有し、電気パルス工具１０は、各期間に関し、上述の例示の実施形態の内の任意のものに係る方法を実施するよう動作する。
【００４２】
図６は、上述の例示の実施形態に従って締め付け作業を実施するための電気パルス工具１０で実行される方法におけるステップを示している。上述の例示の実施形態の場合と同様、トルクをパルスの状態で送り出してねじ継手を締め付ける。また、上述のように、電気パルス工具１０は、出力シャフト１２を駆動するようになった電気モータを有する。
【００４３】
第１のステップ６００では、電気パルス工具は、電流オン時間間隔中、電流パルスを電気モータに提供する。次のステップ７００では、電流オン時間間隔後においてトルクパルスの終了まで、電気モータへの電流供給を休止する。次に、ステップ８００では、トルクパルスの幅を求める。次のステップ９００では、トルクパルスの終了からの休止期間中、電気モータへの電流供給を休止し続け、休止間隔は、トルクパルスの幅に基づいて定められ、したがって、トルクパルスの幅が広いと、休止間隔の幅が広くなり、トルクパルスの幅が狭いと、休止間隔が短くなる。
【００４４】
本方法の例示の一実施形態によれば、トルクパルスの幅は、電気パルス工具がエネルギーを出力シャフトに伝達し始める第１の時点から電気パルス工具がエネルギーを出力シャフトに伝達するのを停止する第２の時点までの期間に基づいて定められる。
【００４５】
本方法の別の例示の実施形態では、休止間隔ＴPAUSEは、トルクパルスの幅ＴWIDTHに所定の係数を掛けた得られる値から電流オン時間間隔ＴCURRENTを差し引いた値である。
ＴPAUSE＝（係数×ＴWIDTH）−ＴCURRENT
【００４６】
別の例示の実施形態では、本方法は、エネルギーが出力シャフトに伝達されたかどうかを出力シャフトに加わる決められているトルクに基づいて判定するステップを含む。本方法の例示の実施形態では、出力シャフトは、決められているトルクが本質的にゼロに達したときにエネルギーの伝達を停止させるよう構成されている。
【００４７】
別の例示の実施形態によれば、本方法は、エネルギーが出力シャフトに伝達されたかどうかを出力シャフトの決められている位置の変化に基づいて判定するステップを含む。別の例示の実施形態によれば、電気パルス工具１０は、ねじ継手の締め付けと関連したパラメータ値に達するまで、上述の期間を繰り返すよう動作する。
【００４８】
例示の実施形態によれば、ねじ継手の締め付けと関連したパラメータ値は、トルクである。例示の実施形態によれば、ねじ継手の締め付けと関連したパラメータ値は、角度である。
【００４９】
上記において、モータに供給されるパルス化エネルギーは、制御されたパルス化電流として記載されている。しかしながら、パルス化エネルギーは、電流以外の他の何らかのパラメータに基づいて制御されることが想定される。したがって、本明細書で用いられる（電流）パルスという用語はまた、電流制御パルス以外の他形式のエネルギーパルス、例えばモータ速度制御パルス、電圧制御パルスなどを含む。
【図１】
2020517470.tif 000003
【図２】
2020517470.tif 000004
【図３】
2020517470.tif 000005
【図４】
2020517470.tif 000006
【図５】
2020517470.tif 000007
【図６】
2020517470.tif 000008
【手続補正書】
【提出日】平成31年2月15日(2019.2.15)
【手続補正１】
【補正対象書類名】特許請求の範囲
【補正対象項目名】全文
【補正方法】変更
【補正の内容】
【特許請求の範囲】
【請求項１】
電気パルス工具（１０）であって、トルクがパルスの状態で前記電気パルス工具（１０）の出力シャフト（１２）に送り出され、前記電気パルス工具（１０）は、前記出力シャフト（１２）を駆動するようになった電気モータ（１１）を有し、前記電気パルス工具（１０）は、各期間について、
‐電流オン時間間隔（ＴCURRENT）中、電流パルスを前記電気モータ（１１）に提供し、
‐前記電流オン時間間隔（ＴCURRENT）後、前記トルクパルスの終了まで、前記電気モータ（１１）への電流供給を休止させ、
‐前記トルクパルスの幅（ＴWIDTH）を求め、
‐前記トルクパルスの終了から休止間隔（ＴPAUSE）中、電気モータへの電流供給の休止を続行するよう作動し、前記休止間隔（ＴPAUSE）は、前記トルクパルスの前記幅（ＴWIDTH）に基づいて求められ、したがってトルクパルスの幅が広いと、その結果として、休止間隔（ＴPAUSE）が広く、トルクパルスの幅が狭いと、その結果として、休止間隔（ＴPAUSE）が短い、電気パルス工具（１０）。
【請求項２】
前記トルクパルスの前記幅（ＴWIDTH）は、前記電気パルス工具がエネルギーを前記出力シャフトに伝達し始める第１の時点から前記電気パルス工具がエネルギーを前記出力シャフト（１２）に伝達するのを停止する第２の時点までの時間間隔に基づいて求められる、請求項１記載の電気パルス工具（１０）。
【請求項３】
前記休止間隔（ＴPAUSE）は、前記トルクパルスの前記幅（ＴWIDTH）に所定の係数を乗算して得られた値から前記電流オン時間間隔（ＴCURRENT）を差し引いた値である、請求項１記載の電気パルス工具（１０）。
【請求項４】
トルクセンサ（２５）をさらに有し、エネルギーが前記出力シャフト（１２）に伝達されたどうかは、前記出力シャフト（１２）に加わる、決められているトルクに基づいて判定される、請求項２または３記載の電気パルス工具（１０）。
【請求項５】
前記出力シャフト（１２）は、前記決められているトルクが本質的にゼロに達したときにエネルギーの伝達を停止させるよう構成されている、請求項４記載の電気パルス工具（１０）。
【請求項６】
前記センサ（２５）は、位置センサであり、エネルギーが前記出力シャフト（１２）に伝達されたかどうかは、前記出力シャフト（１２）の決められている位置の変化に基づいて判定される、請求項２または３記載の電気パルス工具（１０）。
【請求項７】
前記電気パルス工具（１０）は、ねじ継手の締め付けと関連したパラメータ値に達するまで前記期間を繰り返すようさらに作動する、請求項１〜６のうちいずれか一に記載の電気パルス工具（１０）。
【請求項８】
ねじ継手の前記締め付けと関連した前記パラメータ値は、トルクである、請求項７記載の電気パルス工具（１０）。
【請求項９】
ねじ継手の前記締め付けと関連した前記パラメータ値は、角度である、請求項８記載の電気パルス工具（１０）。
【請求項１０】
電気パルス工具（１０）における方法であって、トルクがパルスの状態で前記電気パルス工具（１０）の出力シャフト（１２）に送り出され、前記電気パルス工具（１０）は、前記出力シャフト（１２）を駆動するようになった電気モータ（１１）を有し、前記方法は、各期間について、
‐電流オン時間間隔（ＴCURRENT）中、電流パルスを前記電気モータ（１１）に提供するステップ（６００）と、
‐前記電流オン時間間隔（ＴCURRENT）後、前記トルクパルスの終了まで、前記電気モータ（１１）への電流供給を休止させるステップ（７００）と、
‐前記トルクパルスの幅（ＴWIDTH）を求めるステップ（８００）と、
‐前記トルクパルスの終了から休止間隔（ＴPAUSE）中、電気モータ（１１）への電流供給の休止を続行するステップ（９００）と、を含み、前記休止間隔（ＴPAUSE）は、前記トルクパルスの前記幅（ＴWIDTH）に基づいて求められ、したがってトルクパルスの幅が広いと、その結果として、休止間隔が広く、トルクパルスの幅が狭いと、その結果として、休止間隔が短い、方法。
【請求項１１】
前記トルクパルスの前記幅（ＴWIDTH）は、前記電気パルス工具（１０）がエネルギーを前記出力シャフト（１２）に伝達し始める第１の時点から前記電気パルス工具がエネルギーを前記出力シャフト（１２）に伝達するのを停止する第２の時点までの時間間隔に基づいて求められる、請求項１０記載の方法。
【請求項１２】
前記休止間隔（ＴPAUSE）は、前記トルクパルスの前記幅（ＴWIDTH）に所定の係数を乗算して得られた値から前記電流オン時間間隔（ＴCURRENT）を差し引いた値である、請求項１０または１１記載の方法。
【請求項１３】
エネルギーが前記出力シャフト（１２）に伝達されたどうかを前記出力シャフト（１２）に加わる、決められているトルクに基づいて判定するステップをさらに含む、請求項１１記載の方法。
【請求項１４】
前記出力シャフト（１２）は、前記決められているトルクが本質的にゼロに達したときにエネルギーの伝達を停止させるよう構成されている、請求項１３記載の方法。
【請求項１５】
エネルギーが前記出力シャフト（１２）に伝達されたかどうかを前記出力シャフト（１２）の決められている位置の変化に基づいて判定するステップをさらに含む、請求項１０または１１記載の方法。
【請求項１６】
コンピュータプログラムが記憶されたコンピュータ可読記憶媒体であって、前記コンピュータプログラムは、電気パルス工具（１０）で実行されると、前記電気パルス工具（１０）が請求項１０〜１５のうちいずれか一に記載の方法を実施するようにさせる、コンピュータ可読記憶媒体。
【国際調査報告】
2020517470.tif 000009
2020517470.tif 000010